(57)【特許請求の範囲】
【請求項１】
前面を開放した本体ケースのフロント部にポップレールを装備したオープンショーケースであって、前記ポップレールがポップホルダにワイヤ製の支持脚を結合した構造になり、該支持脚を介してポップレールを本体ケースのフロント部へ着脱可能に支持したものにおいて、
前記ポップレールの支持脚先端に扁平な差込片部を形成した上で、該差込片部を、本体ケースのフロント部に配したフロントキャップと該フロントキャップの庫内側側面に形成した差込溝部に側縁を掛止してフロント部の背後に配した吸込グリルとの間の隙間に押し込んで支持したことを特徴とするオープンショーケース。
【請求項２】
請求項１に記載のオープンショーケースにおいて、ポップレールの支持脚には差込片部の上側に並べて係合突起部を形成し、ポップレールの取付け位置で前記係合突起部をフロントキャップの頂部側縁の裏側に掛止したことを特徴とするオープンショーケース。
【請求項３】
請求項１または２に記載のオープンショーケースにおいて、ポップレールの支持脚に対し、そのワイヤにプレス加工を施して扁平な差込片部および係合突起部を形成したことを特徴とするオープンショーケース。
【発明の詳細な説明】
【技術分野】
【０００１】
本発明は、スーパーマーケットなどの店舗に据付けて使用する冷凍，冷蔵用のオープンショーケースに関し、詳しくはショーケースの本体フロント部に装着したポップレールの取付け構造に係わる。
【背景技術】
【０００２】
周知のように、頭記のオープンショーケースでは、庫内に陳列した商品カードあるいはプライスカードを表示するために、ケース本体のフロント部にポップレールを装備している。このプライスレールはポップホルダにワイヤ製の支持脚を溶接接合した構造で、該支持脚をフロント部に着脱可能に取付けるようにしており、その取付け構造としてケース本体のフロント壁部の長手方向に沿ってその上縁に被着したフロントキャップとその背後に配した循環冷気吸込グリルとの間にＣチャンネル状の係止レールを布設し、この係止レール開口部に前記ポップレールの支持脚を差し込んで起立姿勢に保持するようにした構造が知られている（例えば、特許文献１参照）。
【特許文献１】特開２００１−１７４１３５号公報（図３）
【発明の開示】
【発明が解決しようとする課題】
【０００３】
前記の特許文献１に開示されているポップレールの支持構造は、ポップレールの着脱操作が簡単に行える利点がある反面、ポップホルダに買い物客の持つ籠などが当たって押されたりすると、簡単に脱落してしまうおそれがあるほか、ポップレールを取付けるために、ケース本体のフロント部でフロントキャップと庫内側の吸込グリルとの間に係止レールを追加装備する必要があることから部品点数が増えてコスト高となる。
本発明は上記の点に鑑みなされたものであり、その目的は簡易な着脱操作性に加えて簡単に脱落するおそれがなく、しかもポップレールの取付具としてフロント部に新たな部品を追加装備することなく、ケース本体に標準装備のフロントキャップ,吸込グリルを利用して安定よく掛止保持できるように改良したポップレールの取付け構造を提供することにある。
【課題を解決するための手段】
【０００４】
上記目的を達成するために、本発明によれば、前面を開放した本体ケースのフロント部にポップレールを装備したオープンショーケースで、前記ポップレールがポップホルダにワイヤ製の支持脚を結合した構造になり、該支持脚を介してポップレールを本体ケースのフロント部へ着脱可能に支持したものにおいて、
前記ポップレールの支持脚の先端に扁平な差込片部を形成した上で、該差込片部を、本体ケースのフロント部に配したフロントキャップと該フロントキャップの庫内側側面に形成した差込溝部に側縁を掛止してフロント部の背後に配した吸込グリルとの間の隙間に押し込んで支持するものとし(請求項１)、その実施にはポップレールを次記のような態様で構成することができる。
（１）前記ポップレールの支持脚には差込片部の上側に並べて係合突起部を形成し、ポップレールの取付け位置で前記係合突起部をフロントキャップの頂部側縁の裏側に掛止して脱落を防止するようにする（請求項２）。
（２）前記ポップレールの支持脚に対し、そのワイヤにプレス加工を施して扁平な差込片部および係合突起部を形成する（請求項３）。
【発明の効果】
【０００５】
上記の取付け構造によれば、ケース本体のフロント部にポップレールを装着した状態では、ポップレールの支持脚先端側に形成した差込片部がフロントキャップと吸込グリルとの間に圧入され、同時に係合突起部がフロントキャップの頂部側縁に係合し、これによりポップレールに買い物籠などが当たって押されても簡単に脱落するおそれがない。しかも、ポップレールを取付けるために、ケース本体のフロント部に取付部品を新たに追加装備する必要もない。
また、ポップレールの挿脱操作性についても、ポップレールをフロントキャップと吸込グリルとの間の隙間に押し込むだけだけで掛止保持でき、またこの状態からポップレールに力を加えて引き上げることでフロントキャップに傷を付けることなく取り外すことができる。
【発明を実施するための最良の形態】
【０００６】
以下、本発明の実施の形態を図１，図２に示す実施例に基づいて説明する。
各図において、１は前面開放形の断熱筐体になるケース本体のフロント壁部、２はフロント壁部１の長手方向に沿ってその上端に被着したフロントキャップ(樹脂成形品)、３はフロント壁部１の背後に並べて庫内側に布設し循環冷気の吸込グリル、４はフロント部に装着したポップレールである。
ここで、ポップレール４はワイヤを横長な額縁状に曲げ加工したポップホルダ５と、ポップホルダ５に溶接接合したワイヤ（丸棒）製の支持脚６との組立体になり、支持脚６の先端側にはワイヤにプレス加工を施して扁平な差込片部６ａ，および差込片部６ａの上側に並んで後方に突き出すに扁平な円弧状の係合突起部６ｂが形成されている。
一方、フロントキャップ２は、図示のような断面形状異形レールであって、その庫内側側面には断面Ｌ字形の差込溝部２ａが一体に突き出し形成されており、このフロントキャップ２をフロント壁部１に被着，固定した状態で、庫内側に布設した吸込グリル３の側縁を前記差込溝部２ａに差し込んで掛止保持するようにしている。
【０００７】
そして、上記のポップレール４をケース本体のフロント部に取付ける場合には、図１で示すようにフロント部の上方からポップレール４の支持脚６をフロントキャップ２の後面と前記差込溝部２ａに掛止した吸込グリル３との間の残余隙間に押し込む。これにより、支持脚６の差込片部６ａがフロントキャップ２と吸込グリル３との間に圧入されると同時に、係合突起部６ｂがフロントキャップ２の頂部側縁２ｂの裏側に潜り込んでこの位置に掛止される。この取付け状態では、ポップホルダ５に物が当たったりしてもポップレール４が簡単に脱落することなく、安定した起立姿勢に保持できる。
また、ショーケースの庫内を清掃するなどのメンテナンスの際に、ポップレール４を取り外す場合には、ポップレール４に力を加えて上方に引き上げることにより抜き取ることができる。
【図面の簡単な説明】
【０００８】
【図１】ケース本体のフロント部にポップレールを装着した本発明実施例の組立構造を表す側視断面図
【図２】図１におけるポップレールの構造図で、（ａ），（ｂ）はそれぞれ側面図，および主要部の正面図
【符号の説明】
【０００９】
１    フロント壁部
２    フロントキャップ
２ａ  差込溝部
２ｂ  頂部側縁
３    吸込グリル
４    ポップレール
５    ポップホルダ
６    支持脚
６ａ  差込片部
６ｂ  係合突起部
【図１】
0004764992.tif 000002
【図２】
0004764992.tif 000003